(57)【要約】【課題】  ユーザによる接続先の登録を容易にし、選択可能な複数の接続先を容易に知ることが可能な撮影システムを提供する。【解決手段】  撮影システムは、それぞれが可動部材を有し無線通信するスレーブ部が接続された１以上の撮影装置と、無線通信を行うマスター部が接続され可動光学部材の駆動を指令する指令装置を有し、マスター部は、スレーブ部のアドレスを指定してスレーブ部と無線接続し、指令装置からの指令信号を無線によりスレーブ部に伝達し、スレーブ部が接続された可動光学部材を駆動させ、マスター部は、１以上のスレーブ部から無線接続するスレーブ部を選択する接続先選択手段と、無線接続できるスレーブ部をサーチし、該スレーブ部のアドレスを取得するサーチ手段と、該アドレスを接続先選択手段の所定の選択位置に登録するアドレス登録手段を有し、マスター部は選択された選択位置に登録されたアドレスのスレーブ部と無線接続する。【選択図】  図１
2013207369.tif 000002
【特許請求の範囲】
【請求項１】
それぞれが、可動光学部材を有し、無線での通信を行うスレーブユニットが接続された、１以上の撮影装置と、
無線での通信を行うマスターユニットが接続され、該可動光学部材の駆動を指令する、指令装置と、
を有し、
該マスターユニットは、該スレーブユニットが有する固有のアドレスを指定することで該スレーブユニットとの無線接続が可能であり、該指令装置からの指令信号を無線により該スレーブユニットに伝達し、該スレーブユニットが接続されている可動光学部材を駆動させる撮影システムにおいて、
該マスターユニットは、
１以上のスレーブユニットの中から無線接続するスレーブユニットを択一的に選択する接続先選択手段と、
無線接続できるスレーブユニットをサーチし、無線接続した該スレーブユニットのアドレスを取得するサーチ手段と、
該サーチ手段で取得した該アドレスを、該接続先選択手段の所定の選択位置に登録するアドレス登録手段と、
を有し、
該マスターユニットは、該接続先選択手段により選択された選択位置に登録されているアドレスを指定し、該アドレスに対応する該スレーブユニットと無線接続する、
ことを特徴とする撮影システム。
【請求項２】
前記１以上の撮像装置それぞれは、固有の識別番号を有し、
前記スレーブユニットは、接続されている該撮影装置の該識別番号を取得する識別番号取得手段を有し、
前記接続先選択手段は、１以上のスレーブユニットの中から無線接続するスレーブユニットを該識別番号の指定によって択一的に選択し、
前記サーチ手段は、無線接続した該スレーブユニットのアドレスと、無線接続した該スレーブユニットが接続されている撮影装置の識別番号と、を取得し、
前記アドレス登録手段は、該サーチ手段で取得した該アドレスを、該サーチ手段で取得した該識別番号に対応する該接続先選択手段の選択位置に登録する、
ことを特徴とする請求項１に記載の撮影システム。
【請求項３】
前記識別番号取得手段は選択スイッチであることを特徴とする請求項２に記載の撮影システム。
【請求項４】
前記識別番号取得手段は、接続されている前記撮影装置の識別番号を該撮影装置から取得する手段である、ことを特徴とする請求項２に記載の撮影システム。
【請求項５】
前記撮影装置は、撮影者が認識できる報知状態を有する報知装置を備え、
該スレーブユニットは、該マスターユニットの該サーチ手段によるサーチ時に、該マスターユニットと無線接続した時、該スレーブユニットが接続されている撮影装置の報知装置を報知状態とし、
前記アドレス登録手段は、該サーチ手段によるサーチ時に、前記サーチ手段で取得したスレーブユニットのアドレスを、選択されている該接続先選択手段の選択位置に登録する、
ことを特徴とする請求項１に記載の撮影システム。
【請求項６】
前記マスターユニットは、前記サーチ手段によるスレーブユニットのサーチの開始を指示するサーチ指示手段を有する、ことを特徴とする請求項１乃至５のいずれか１項に記載の撮影システム。
【請求項７】
前記マスターユニットは、電源立ち上げ時に前記サーチ手段によるスレーブユニットのサーチを実行することを特徴とする請求項１乃至６のいずれか１項に記載の撮影システム。
【請求項８】
前記識別番号取得手段で得られる識別番号が変更されると、前記マスターユニットは、前記サーチ手段によるスレーブユニットのサーチと、前記アドレス登録手段によるアドレスの登録を実行する、ことを特徴とする請求項２乃至４のいずれか１項に記載の撮影システム。
【発明の詳細な説明】
【技術分野】
【０００１】
本発明は、撮影システムに関し、特に、撮影装置と、撮影装置を制御するデマンドが無線通信により接続される撮影システムに関するものである。
【背景技術】
【０００２】
従来テレビレンズ装置（以下、レンズ装置）は、ズームレンズ、フォーカスレンズ、アイリス等の可動光学部を有する。レンズ装置は、ズーム駆動の指令装置であるズームデマンドや、フォーカス駆動の指令装置であるフォーカスデマンドなどが接続され、該可動光学部を駆動させる。通常、レンズ装置とデマンドとの接続は、多ピンコネクタを使用したケーブル接続を介して行われるが、該レンズ装置とデマンドとの接続を無線通信により行う技術が提案されている（特許文献１）。また、近年、無線免許なしで利用可能な２．４ＧＨｚ帯の無線電波を用いる、Ｂｌｕｅｔｏｏｔｈ（登録商標）や無線ＬＡＮなどのローカルな無線通信システムが広く利用されている。これら無線通信システムに対応した機器同士を無線通信で通信可能な状態とするために、接続相手先の認識情報を手動により相互の機器にそれぞれ入力し、登録することにより、相互間での通信可能な状態を実現している。この登録処理はペアリングと呼ばれ、ペアリングが完了すると、以後、この登録された認識情報を用い接続先を呼び出すことにより、所望の機器間での接続を確立させる。さらに、キー入力部や表示部を有さない機器においては、周囲の無線接続可能な機器をサーチし、サーチ結果から所望の接続先を選択し、認識情報を登録する技術が提案されている（特許文献２）。
【０００３】
例えば、特許文献１ではレンズ装置とデマンドにそれぞれ信号変換ユニットを接続し、信号変換ユニット間で無線通信を行うことにより、レンズ装置と指令装置が離れた状態の撮影においても装置間の接続を容易にするレンズシステムが開示されている。特許文献２ではキー入力部や表示部等を有さない機器においても、簡単な操作ながら、無線接続のための登録処理を実行し、無線通信を確立する無線接続装置が開示されている。
【先行技術文献】
【特許文献】
【０００４】
【特許文献１】特開２００７−２９３０７０号公報
【特許文献２】特開平７−４６６７１号公報
【発明の概要】
【発明が解決しようとする課題】
【０００５】
特許文献１に開示された従来技術では、レンズ装置とデマンドとに接続される１組の無線装置を使用するが、テレビ放送などの撮影においては、複数の撮影装置を用いるため、該無線装置が複数組存在することが考えられる。Ｂｌｕｅｔｏｏｔｈ（登録商標）や無線ＬＡＮなどの装置は、無線通信のための４８ビット長で表される固有のアドレスが割り当てられており、接続先のアドレスを登録する必要がある。無線装置間の通信接続は、登録されている接続先のアドレスを指定し行われるため、必然的に接続先が固定されてしまう。複数組の無線装置が存在する場合は、接続先が固定されているより、所望の接続先を指定できるほうが、ユーザにとっては使い勝手が良い。よって、複数のアドレスを登録し、呼び出す接続先のアドレスをスイッチ等に割り当てることで切り替えを可能とし、１つの接続元で複数の接続先から所望の接続先を選択し、無線接続を行う構成が考えられる。しかし、これらのレンズ装置とデマンドとを接続するような無線装置は、キー入力部や表示部などのユーザインターフェースを有さないため、複数の接続先のアドレスをユーザが登録することは著しく困難である。さらには、該無線装置は、レンズ装置と容易に取り外しが可能なため、撮影状況によっては、レンズ装置と接続される無線装置の組み合わせが変わったり、使用する無線装置の数が変わったりすることが想像される。例えば、該無線装置の用途の一つとして、クレーンに設置されたレンズ装置に使用される場合が考えられるが、音楽番組の撮影などではクレーンは多く使用され、ニュース番組の撮影などではほとんど使用されない。よって、撮影する番組が変われば、無線装置の数も変わることになる。したがって、ユーザはスイッチに割り当てられた接続先を認識できなくなる可能性がある。
【０００６】
そこで、本発明の目的は、ユーザによる複数の接続先の登録を容易にし、且つ選択可能な複数の接続先を容易に知ることを可能にした撮影システムを提供することである。
【課題を解決するための手段】
【０００７】
上記目的を達成するために、本発明の撮影システムは、それぞれが、可動光学部材を有し、無線での通信を行うスレーブユニットが接続された、１以上の撮影装置と、無線での通信を行うマスターユニットが接続され、該可動光学部材の駆動を指令する、指令装置と、を有し、該マスターユニットは、該スレーブユニットが有する固有のアドレスを指定することで該スレーブユニットとの無線接続が可能であり、該指令装置からの指令信号を無線により該スレーブユニットに伝達し、該スレーブユニットが接続されている可動光学部材を駆動させる撮影システムであって、該マスターユニットは、１以上のスレーブユニットの中から無線接続するスレーブユニットを択一的に選択する接続先選択手段と、無線接続できるスレーブユニットをサーチし、無線接続した該スレーブユニットのアドレスを取得するサーチ手段と、該サーチ手段で取得した該アドレスを、該接続先選択手段の所定の選択位置に登録するアドレス登録手段と、を有し、該マスターユニットは、該接続先選択手段により選択された選択位置に登録されているアドレスを指定し、該アドレスに対応する該スレーブユニットと無線接続する、ことを特徴とする。
【発明の効果】
【０００８】
本発明によれば、ユーザによる接続先の登録を容易にし、且つ選択可能な複数の接続先を容易に知ることを可能にした撮影システムを提供することができる。
【図面の簡単な説明】
【０００９】
【図１】実施例１における撮影システムの構成を示すブロック図。
【図２】実施例１における通常の接続処理の流れを示すフローチャート。
【図３】実施例１におけるペアリング処理の流れを示すフローチャート。
【図４】実施例１における複数の撮影装置を有する撮影システムの構成例を示す図。
【図５】実施例１におけるアドレス登録の対応例を示す図。
【図６】実施例２における撮影システムの構成を示すブロック図。
【図７】実施例２におけるペアリング処理の流れを示すフローチャート。
【図８】実施例３におけるペアリング処理の流れを示すフローチャート。
【発明を実施するための形態】
【００１０】
以下に、本発明の好ましい実施の形態を、添付の図面に基づいて詳細に説明する。図１は、本発明の実施形態にかかわる撮影システムの構成図である。
【実施例１】
【００１１】
以下、図１乃至５を参照して、本発明の第１の実施例による、撮影システムについて説明する。
【００１２】
図１に、本発明の第１の実施例である撮影システムの構成を示す。該撮影システムは、撮影装置１と、撮影装置１に接続される無線装置であるスレーブユニット２と、デマンド３と、デマンド３に接続される無線装置であるマスターユニット４により構成されている。
【００１３】
撮影装置１は不図示のフォーカスレンズ、ズームレンズ、及びアイリス等の可動光学部材を含む光学系を内蔵するレンズ部と、ＣＣＤセンサやＣＭＯＳセンサ等により構成される撮像素子を含むカメラ部からなる。本実施例においてはレンズ部とカメラ部が一体となった撮影装置について説明するが、レンズ部とカメラ部が別体であり、レンズ部はカメラ部に対して着脱（交換）可能である撮影装置であっても良い。また、撮影装置１はシリアル通信部１１が構成され、該シリアル通信部１１により、可動光学部材の駆動を指令する指令信号を受信し、可動光学部材を駆動させる。
【００１４】
スレーブユニット２において、シリアル通信部２１は撮影装置１のシリアル通信部１１と接続されデジタルデータの送受信を行う。識別番号取得手段としてのカメラ番号設定ＳＷ２２は、スレーブユニット２が接続されている撮影装置１のカメラ番号（識別番号）を設定する選択スイッチであり、ユーザにより設定される。テレビ放送では、複数の撮影装置を用いて撮影を行う。よって、撮影装置を識別するために、各撮影装置に番号付けをして運用している。カメラ番号設定ＳＷ２２は、番号付けされた撮影装置の番号（カメラ番号）を設定するものである。カメラ番号設定ＳＷ２２は、例えば、存在し得る撮影装置の数（番号）を設定するのに十分な接点数を持つロータリースイッチなどである。なお、本実施例では、複数の撮影装置を識別するための情報として、識別番号を例示して説明したが、本発明はこれに限定されることはなく、番号に限らず、文字等様々な識別情報を識別番号に替えて使用することができる。
【００１５】
無線通信部２３は、アンテナを有し、無線通信によるデータの送受信を行う。ＣＰＵ２４は、シリアル通信部２１、及び無線通信部２３を制御し、データの送受信を行わせる。
【００１６】
デマンド３は、不図示のユーザにより操作される操作部を有し、操作部の操作方向、及び操作量に応じて、撮影装置１が有する可動光学部材の駆動を指令する指令信号を生成する。また、デマンド３にはシリアル通信部３１が構成され、シリアル通信部３１により、可動光学部材の指令信号をマスターユニット４に送信する。
【００１７】
マスターユニット４において、シリアル通信部４１はデマンド３のシリアル通信部３１と接続されデジタルデータの送受信を行う。接続先選択ＳＷ４２（接続先選択手段）は、無線接続を行うスレーブユニット２を択一的に選択するスイッチである。例えば、存在し得る撮影装置の数（番号）を選択するのに十分な接点数（カメラ番号設定ＳＷ２２と同じ数の接点数）を持つロータリースイッチなどである。無線通信部４３は、アンテナを有し、無線通信によるデータの送受信を行う。
【００１８】
ＣＰＵ４４は、シリアル通信部４１、及び無線通信部４３を制御し、データの送受信を行わせる。また、ＣＰＵ４４は、無線通信のためのスレーブユニット２に固有のアドレスを登録する処理（ペアリング）を行う。ペアリング指示ＳＷ４５（ペアリング指示手段）は、ペアリングの実行を指示するスイッチであり、ユーザにより指示されるとペアリング処理が実行される。ペアリング処理の詳細については後述する。
【００１９】
本実施例では、マスターユニットにスレーブユニットのアドレスを登録する処理モードであるペアリングモードと、マスターユニットとスレーブユニット間で無線接続を確立し、可動光学部材の指令信号を送受信する処理モードである通常接続モードを有する。
【００２０】
図２のフローチャートには、通常接続モード時の無線通信処理の流れを示す。ＣＰＵ２４とＣＰＵ４４は、これらの処理を、不図示のメモリに格納されたコンピュータプログラムに従って制御する。
【００２１】
マスターユニット４のＣＰＵ４４の処理を図２（ａ）、スレーブユニット２のＣＰＵ２４の処理を図２（ｂ）のフローに示す。点線の矢印は無線通信の流れを示し、ＣＰＵ４４は無線通信部４３を、ＣＰＵ２４は無線通信部２３をそれぞれ介して無線通信を行う。
スレーブユニット２は通常接続モードに入ると、ＣＰＵ２４の処理はステップＳ２１に進み、マスターユニット４からのコネクトコマンドの受信を待つ。
【００２２】
マスターユニット４は通常接続モードに入ると、ＣＰＵ４４の処理はステップＳ１１に進み、接続先選択ＳＷ４２で選択されている選択位置であるスイッチ番号を読み込み、該スイッチ番号に対応し、登録（記憶）されているスレーブユニット２のアドレスを読み出す。アドレスの登録及びスイッチ番号との対応付けを行うペアリング処理につては後述する。アドレスの読み出しが完了すると、ステップＳ１２に進み、スレーブユニットに対し、コネクトコマンドを送信する。コネクトコマンドには、ステップＳ１１で読み出されて指定されアドレスと、予め設定されている認証コードを付随させて送信する。無線機器においては、セキュリティを確保するために認証コードが用いられ、各無線機器に予め設定された認証コードが一致する場合に無線接続を確立させる方式がとられる。コネクトコマンドの送信が完了すると、ステップＳ１３に進み、スレーブユニット２からのコネクトＯＫコマンドの受信を待つ。
【００２３】
次に、スレーブユニット２のＣＰＵ２４の処理は、ステップＳ２１において、コネクトコマンドを受信すると、ステップＳ２２に進み、コネクトコマンドに付随しているアドレスと認証コードが正しいかどうかの判断を行う。アドレスにおいては、受信したアドレスが自分のアドレスと一致するかを判断し、一致する場合は自分に対するコマンドであることを認識する。認証コードにおいては、予め設定されている自分の認証コードと一致するかを判断し、一致する場合は接続対象として正常であることを認識する。アドレス及び認証コードが共に一致する場合はステップＳ２３に進み、どちらか一方でも異なれば、ステップＳ２１に戻り、再びコネクトコマンドの受信を待つ。ステップＳ２３では、コネクトコマンドを送信したマスターユニット４に対し、コネクトＯＫコマンドを送信する。コネクトＯＫコマンドを送信するとステップＳ２４に進み、指令信号の受信待ちとなる。
【００２４】
次に、マスターユニット４のＣＰＵ４４の処理は、ステップＳ１３でコネクトＯＫコマンドを受信すると、ステップＳ１４に進む。以上により、マスターユニット４とスレーブユニット２の無線通信が確立することとなる。ステップＳ１４では、デマンド３とのシリアル通信を介して、可動光学部材の指令信号を受信する。受信が完了すると、ステップＳ１５に進み、ステップＳ１５では、ステップＳ１４で受信した指令信号を通信確立しているスレーブユニット２に対して送信する。送信が完了すると、ステップＳ１６に進み、スレーブユニット２からのアンサーコマンドの受信を待つ。
【００２５】
次に、スレーブユニット２のＣＰＵ２４の処理は、ステップＳ２４で指令信号を受信すると、ステップＳ２５に進み、ステップＳ２５では、撮影装置１とのシリアル通信を介して、ステップＳ２４で受信した指令信号を撮影装置１に送信する。撮影装置１は、該指令信号を受信することにより、可動光学部材の駆動を行う。指令信号の送信が完了すると、ステップＳ２６に進み、撮影装置１からのアンサー信号を受信する。該アンサー信号は、例えば、可動光学部材の位置を示す位置信号などである。アンサー信号の受信が完了すると、ステップＳ２７に進み、マスターユニット４に対して、ステップＳ２６で受信したアンサー信号を送信する。アンサー信号の送信が完了すると、ステップＳ２４に戻り、再び、ステップＳ２４からステップＳ２７までの処理を繰り返す。
【００２６】
次に、マスターユニット４のＣＰＵ４４の処理は、ステップＳ１６でアンサー信号を受信すると、ステップＳ１７に進み、ステップＳ１７では、デマンド１に対してステップＳ１６で受信したアンサー信号を送信する。送信が完了すると、ステップＳ１４に戻り、ステップＳ１４からステップＳ１７までの処理を繰り返し、指令信号及びアンサー信号の送受信が繰り返される。
以上により、マスターユニット４とスレーブユニット２の無線接続が確立し、デマンド３の指令信号を無線通信により撮影装置１に伝達し、可動光学部材の駆動を実現する。
【００２７】
図３のフローチャートには、マスターユニット４にスレーブユニット２のアドレスを登録するペアリング処理の流れを示す。ＣＰＵ２４とＣＰＵ４４は、これらの処理を、不図示のメモリに格納されたコンピュータプログラムに従って制御する。
【００２８】
図２と同様に、マスターユニット４のＣＰＵ４４の処理を図３（ａ）、スレーブユニット２のＣＰＵ２４の処理を図３（ｂ）のフローに示す。点線の矢印は無線通信の流れを示し、ＣＰＵ４４は無線通信部４３を、ＣＰＵ２４は無線通信部２３をそれぞれ介して該無線通信を行う。
【００２９】
スレーブユニット２に電源が入ると、ペアリングモードとなり、ＣＰＵ２４の処理はステップＳ４１に進み、マスターユニット４からのコマンドの受信を待つ。スレーブユニット２は、電源立ち上げ時は常にペアリングモードとなり、アドレス登録が完了するか、もしくはコネクトコマンドを受信することにより通常接続モードに遷移する。
【００３０】
マスターユニット４に電源が入ると、ＣＰＵ４４の処理はステップＳ３１に進み、ペアリング指示ＳＷ（サーチ指示手段）４５を読み込み、スイッチがＯＮされているかを判断する。電源立ち上げ時にスイッチがＯＮされていると、ペアリングモードとなりステップＳ３２に進み、ペアリング処理を開始する。スイッチがＯＦＦの状態で電源が立ち上がると、通常接続モードとなりステップＳ３９に進み、図２で説明した無線通信処理を行う。ペアリングモードとなると、ステップＳ３２では、周囲の無線装置を検索するためにサーチコマンドを送信し、ステップＳ３３に進む。ステップS３３では、該サーチコマンドに対するレスポンスの受信を待つ。
【００３１】
次に、スレーブユニット２のＣＰＵ２４の処理は、ステップＳ４１でコマンドを受信すると、ステップＳ４２に進む。ステップＳ４２では、受信したコマンドがサーチコマンドであるかどうかを判断し、サーチコマンドである場合は、ステップＳ４４に進む。サーチコマンドでない場合は、ステップＳ４３に進み、コネクトコマンドであるかどうかを判断し、コネクトコマンドである場合は、ステップＳ４９に進み、通常接続モードとなり、図２で説明した無線通信処理を行う。コネクトコマンドでない場合は、ステップＳ４１に戻り、再びコマンド受信待ちとなる。サーチコマンドを受信し、ステップＳ４４に進むと、レスポンスコマンドを送信する。該レスポンスコマンドには、スレーブユニット２が有する固有のアドレスが付随される。送信が完了するとステップＳ４５に進む。
【００３２】
次に、マスターユニット４のＣＰＵ４４の処理は、ステップＳ３３でレスポンスコマンドを受信すると、ステップＳ３４に進む。また、ステップＳ３３では、図示しないフローとして、所定時間が経過してもレスポンスコマンドを受信しない場合は、タイムアウト処理として、ステップＳ３９に移行し、通常接続モードとなる。ステップＳ３４では、レスポンスコマンドに含まれるスレーブユニット２のアドレスを元に、コネクトコマンドを送信し、該アドレスを有するスレーブユニット２と通信を確立させる。通信が確立するとステップＳ３５に進む。
【００３３】
次に、スレーブユニット２のＣＰＵ２４の処理は、ステップＳ４５では、マスターユニット４からのコネクトコマンドを受信し、コネクトＯＫコマンドを送信し、通信を確立させる。通信が確立するとステップＳ４６に進み、カメラ番号設定ＳＷ２２からスイッチ番号を読み込み、カメラ番号を取得する。カメラ番号を取得すると、ステップＳ４７に進み、該カメラ番号を送信する。送信が完了すると、ステップＳ４８に進み、通信が切断するまで待機する。
【００３４】
次に、マスターユニット４のＣＰＵ４４の処理は、ステップＳ３５では、スレーブユニット２からカメラ番号を受信し、ステップＳ３６に進む。ステップＳ３６では、受信したカメラ番号と接続先選択ＳＷ４２のスイッチ番号（選択位置）とが一致するように、スレーブユニット２のアドレスを対応付けて登録（記憶）する。登録が完了すると、ステップＳ３７に進み、通信を切断する。通信が切断されると、再びステップＳ３２に戻り、ステップＳ３２からステップＳ３７を繰り返し、他のスレーブユニットのアドレス登録を順次行っていく。
【００３５】
次に、スレーブユニット２のＣＰＵ２４の処理は、ステップＳ４８では、通信が切断されると、ステップＳ４９に進み、通常接続モードとなり、図２で説明した無線通信処理を行う。通常接続モードでは、コネクトコマンドに対してのみ応答するため、一度アドレス登録が行われたスレーブユニットはサーチコマンドに対してレスポンスコマンドを返さない。よって、周囲のアドレス未登録のスレーブユニットが、順次マスターユニット４に登録され、全てのスレーブユニットのアドレス登録が完了すると、ステップＳ３３のタイムアウト処理により、マスターユニットは通常接続モードへと遷移する。
本発明は、１以上のスレーブユニットが含まれる撮影システムに対して、適用可能であり、図４の構成図は、複数のスレーブユニットが存在する撮影システムの構成例を示す。
【００３６】
カメラ番号として１番が割り当てられている撮影装置（１カメ）にはスレーブユニット２ａ、２番が割り当てられている撮影装置（２カメ）にはスレーブユニット２ｂ、３番が割り当てられている撮影装置（３カメ）にはスレーブユニット２ｃが接続されている。スレーブユニット２ａは「１２３４」、２ｂは「２３４５」、２ｃは「３４５６」の固有アドレスがそれぞれ割り当てられている。デマンド３にはマスターユニット４が接続され、該マスターユニット４にスレーブユニット２ａ、２ｂ、２ｃのアドレスを登録する例を説明する。
【００３７】
１カメに接続されているスレーブユニット２ａのカメラ番号設定ＳＷ２２は、ユーザにより１番が設定される。同様に、スレーブユニット２ｂには２番が、スレーブユニット２ｃには３番がそれぞれ設定される。すべてのスレーブユニットの電源を立ち上げ、マスターユニット４に構成されるペアリング指示ＳＷ４５をＯＮしながら、マスターユニット４の電源を立ち上げると、ペアリング処理が行われる。ペアリング処理では、図３で説明したように、マスターユニット４は周辺のスレーブユニットをサーチし、順次スレーブユニット２ａ〜２ｃのアドレス登録が自動的に行われる。
【００３８】
図５に登録されたアドレスの接続先選択ＳＷ４２との対応表を示す。
接続先選択ＳＷ４２のスイッチ番号（選択位置）１には、１カメに接続されているスレーブユニット２ａのアドレス（「１２３４」）が登録される。同様に、接続先選択ＳＷ４２のスイッチ番号２には２カメのスレーブユニット２ｂのアドレス（「２３４５」）が、スイッチ番号３には３カメのスレーブユニット２ｃのアドレス（「３４５６」）がそれぞれ登録される。よって、接続先選択ＳＷ４２の１番を選択すると1カメ、２番を選択すると２カメ、３番を選択すると３カメに接続されることとなり、ユーザはスレーブユニットを意識することなく、所望の撮影装置を選択することができる。また、撮影装置とスレーブユニットとは接続が容易なため、撮影装置とスレーブユニットの組み合わせが変更されたり、撮影状況に応じて使用するスレーブユニットの数が変わったりすることが想像される。このような場合でも上述したように、ユーザは容易に、図５のような接続先選択ＳＷ４２のスイッチ番号とカメラ番号とが一致した状態のアドレス登録が行える。
【００３９】
このように、本実施例では、ユーザによるアドレス登録が容易であり、且つカメラ番号と接続先選択ＳＷ４２の選択番号とが一致したアドレス登録を行うことにより、選択可能な複数の接続先を容易に知ることができる。
【００４０】
なお、本実施例では、マスターユニット４は電源立ち上げ時にペアリング指示ＳＷ４５がＯＮされていることにより、ペアリングモードとなるフローとしたが、これに限られるものではない。例えば、電源立ち上げ時に必ずペアリングモードで立ち上げるようにしても良いし、電源立ち上げ時は通常接続モードで立ち上がり、ペアリング指示ＳＷ４５がＯＮされると、ペアリングモードに遷移するフローとしても良い。
【００４１】
また、スレーブユニット２は電源立ち上げ時にペアリングモードとなる例について説明したが、カメラ番号設定ＳＷ２２のスイッチ番号を記憶しておき、該カメラ番号設定ＳＷ２２が切り替えられた際に、ペアリングモードで立ち上げるフローとしても良い。
【００４２】
さらには、本実施例では、撮影装置とスレーブユニットの接続、およびデマンドとマスターユニットの接続はシリアル通信により行う構成としたが、これに限られるものではなく、アナログ信号により指令信号を伝達しても当然良い。
【００４３】
さらには、スレーブユニット２、及びマスターユニット４は独立した無線装置として構成した例について説明したが、各々撮影装置１、デマンド３に内蔵してあっても良い。
【実施例２】
【００４４】
以下、図６〜７を参照して、本発明の第２の実施例による、撮影システムについて説明する。
図６には、本発明の第２の実施例である撮影システムの構成を示している。図１と同符号により記載されている構成要素は同様なので、説明を省略する。
【００４５】
第１の実施例との構成の差は、図１のカメラ番号設定ＳＷ２２が構成されていないことのみである。第１の実施例では、カメラ番号設定ＳＷ２２により、撮影装置１のカメラ番号をユーザにより設定する例について説明した。第２の実施例では、予め撮影装置１にはカメラ番号が設定されており、スレーブユニット２は、シリアル通信を介して撮影装置１から該カメラ番号を取得する例について説明する。
【００４６】
図７のフローチャートには、マスターユニット４にスレーブユニット２のアドレスを登録するペアリング処理の流れを示す。ＣＰＵ２４とＣＰＵ４４は、これらの処理を、不図示のメモリに格納されたコンピュータプログラムに従って制御する。図３と同符号により記載されている処理は同様なので、説明を省略する。
ステップＳ５０では、スレーブユニット２のＣＰＵ２４は、撮影装置１からシリアル通信を介してカメラ番号を取得する。
【００４７】
よって、第２の実施例は、予め撮影装置１にカメラ番号が設定されている場合に、自動で撮影装置１からカメラ番号を取得するため、ユーザによる設定の必要がなくなる。ゆえに、ユーザはマスターユニット４をペアリングモードで立ち上げるのみで、カメラ番号と接続先選択ＳＷ４２のスイッチ番号とが一致したアドレス登録が可能となる。
【実施例３】
【００４８】
以下、図８を参照して、本発明の第３の実施例による、撮影システムについて説明する。
【００４９】
第３の実施例では、撮影装置が有するタリーランプを利用したペアリング処理について説明する。テレビ放送では、複数の撮影装置を用いて撮影が行われるため、テレビ放送用の撮影装置には、出演者や、撮影者に現在映像が使われている撮影装置を認識させるための報知装置（タリーランプ）が備わっている。タリーランプの点灯／消灯、或いは、点灯状態（報知状態）によって、当該撮影装置がテレビ放送に使用されていることを示すように使用されている。
本発明の第３の実施例である撮影システムの構成は、図６と同様なので、説明を省略する。
【００５０】
図８のフローチャートには、マスターユニット４にスレーブユニット２のアドレスを登録するペアリング処理の流れを示す。ＣＰＵ２４とＣＰＵ４４は、これらの処理を、不図示のメモリに格納されたコンピュータプログラムに従って制御する。図３と同符号により記載されている処理は同様なので、説明を省略する。
ステップＳ３４、ステップＳ４５までの処理でサーチコマンドに対するレスポンスコマンドを返したスレーブユニット２との通信を確立させる。
【００５１】
次に、スレーブユニット２のＣＰＵ２４の処理は、ステップＳ７０で、撮影装置１が有するタリーランプの点灯を、シリアル通信を介して指令する。撮影装置１は該指令を受けて、タリーランプを点灯させる（報知状態とする）。
【００５２】
次に、マスターユニット４のステップＳ６０は、ユーザによるマニュアル処理であり、タリーランプの点灯している撮影装置のカメラ番号を確認し、該カメラ番号と一致するように接続先選択ＳＷ４２のスイッチ番号を合わせる。そして、ペアリング指示ＳＷ４５をＯＮすることで、該スイッチ番号を決定させる。スイッチ番号が決定すると、ステップＳ６１に進む。ステップＳ６１では、ステップＳ６０で決定したスイッチ番号と対応させて、通信確立しているスレーブユニット２のアドレスを登録する。アドレスの登録が完了すると、通信を切断し、再びステップＳ３２からステップＳ３７を繰り返す。
通信が切断されるとスレーブユニット２のＣＰＵ２４の処理は、ステップＳ７１に進み、ステップＳ７１では、撮影装置１が有するタリーランプの消灯を、シリアル通信を介して指令する。撮影装置１は該指令を受けて、タリーランプを消灯させる（報知状態を解除する）。
【００５３】
以上のように、サーチ手段によるサーチ時のサーチコマンドに対してレスポンスコマンドを返した撮影装置のタリーランプが点灯するため、ユーザはタリーランプによりアドレス登録の対象となる撮影装置を認識できる。よって、ユーザはタリーランプの点灯している撮影装置のカメラ番号を確認し、接続先選択ＳＷ４２のスイッチを設定することで、順次アドレスを登録していくことができる。ゆえに、ユーザはマスターユニット４の操作のみで、容易に図５で示したようなカメラ番号と接続先選択ＳＷ４２のスイッチ番号とが一致したアドレス登録が可能となる。
【００５４】
なお、撮影者への報知情報としてタリーランプを使用することについて例示したが、本発明はこれに限定されることはなく、他の方法で撮影者に認識させる手段を用いてもよい。
上記した実施例においては、デマンドが１台のみを考慮した場合を例示したが、本発明は、デマンドが複数台ある場合についても、同様に適用することができる。
【００５５】
以上、本発明の好ましい実施形態について説明したが、本発明はこれらの実施形態に限定せず、その要旨の範囲内で種々の変形及び変更が可能である。
【符号の説明】
【００５６】
１  撮影装置
２  スレーブユニット
３  デマンド（指令装置）
４  マスターユニット
２３  無線通信部
４２  接続先選択スイッチ（接続先選択手段）
４３  無線通信部
４４  ＣＰＵ（サーチ手段）
【図１】
2013207369.tif 000003
【図２】
2013207369.tif 000004
【図３】
2013207369.tif 000005
【図４】
2013207369.tif 000006
【図５】
2013207369.tif 000007
【図６】
2013207369.tif 000008
【図７】
2013207369.tif 000009
【図８】
2013207369.tif 000010